【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、を備え、
前記第２のセンサパッドは、前記第１のセンサパッドとは異なるタイプのセンサパッドであり、及び
前記第１及び第２の無線信号は、前記第１及び第２の無線信号の送信元であるセンサパッドのタイプを識別するタイプコードを含む、患者の動き通知システム。
【請求項２】
前記第１及び第２の無線信号は、前記第１及び第２の無線信号の送信元である前記センサパッドがアクティブであるかどうかを識別するアクティブコードを含む、請求項１に記載の患者の動き通知システム。
【請求項３】
前記第１及び第２のセンサパッドの１つのみが、いつでもアクティブである、請求項２に記載の患者の動き通知システム。
【請求項４】
前記モニタは、特定のタイプの１つのセンサパッドのみからの無線信号に応答するように構成される、請求項１から３のいずれか一項に記載の患者の動き通知システム。
【請求項５】
前記モニタは、ベッドタイプの１つのセンサパッド、椅子タイプの１つのセンサパッド、及びトイレタイプの１つのセンサパッドのみからの無線信号に応答するように構成される、請求項４に記載の患者の動き通知システム。
【請求項６】
前記第１のセンサパッドは、ベッドタイプのセンサパッドであり、前記第２のセンサパッドは、椅子タイプのセンサパッド及びトイレタイプのセンサパッドの１つである、請求項１から５のいずれか一項に記載の患者の動き通知システム。
【請求項７】
請求項１から６のいずれか一項に記載の患者の動き通知システムであって、失禁による水分を検知するための失禁センサを含む第３のセンサパッドと、前記失禁センサに応答して第３の無線信号を送信するために、前記第３のセンサパッドに関連付けられた送信機とをさらに備え、
前記受信機は前記第３の無線信号を受信し、前記モニタは前記第３の無線信号に応答して失禁に関する通知を生成し、及び
前記第３の無線信号は、前記第３の無線信号の送信元であるセンサパッドのタイプを識別するタイプコードを含む、患者の動き通知システム。
【請求項８】
請求項１から７のいずれか一項に記載の患者の動き通知システムであって、前記モニタの送信機から信号を受信するためのナースコール受信機を有するナースコール中継装置と、前記モニタの前記受信機に信号を送信するための送信機とをさらに備え、前記ナースコール中継装置から送信される前記信号は、前記ナースコール中継装置から送信される前記信号を識別するタイプコードを含む、患者の動き通知システム。
【請求項９】
前記モニタは、１つのナースコール中継装置のみからの無線信号に応答するように構成される、請求項８に記載の患者の動き通知システム。
【請求項１０】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、を備え、
前記第１及び第２の無線信号は、前記第１及び第２の無線信号の送信元である前記センサパッドがアクティブであるかどうかを識別するアクティブコード含む、患者の動き通知システム。
【請求項１１】
請求項１０に記載の患者の動き通知システムであって、失禁による水分を検知するための失禁センサを含む第３のセンサパッドと、前記失禁センサに応答して第３の無線信号を生成するために、前記第３のセンサパッドに関連付けられた送信機とをさらに備え、
前記受信機は前記第３の無線信号を受信し、前記モニタは前記第３の無線信号に応答して失禁に関する通知を生成する、患者の動き通知システム。
【請求項１２】
前記第１、第２、及び第３の無線信号は、前記信号の送信元であるセンサパッドのタイプを識別するタイプコードを含む、請求項１１に記載の患者の動き通知システム。
【請求項１３】
前記第１、第２、及び第３の無線信号は、前記信号の送信元であるセンサパッドのタイプを識別するタイプコードを含む、請求項１０から１２のいずれか一項に記載の患者の動き通知システム。
【請求項１４】
患者の動き通知システムであって、
患者によって加えられた圧力を検知するための圧力センサと、第１の無線信号を送信するための送信回路とを含む第１のセンサパッドと、
患者によって加えられた圧力を検知するための圧力センサと、第２の無線信号を送信するための送信回路とを含む第２のセンサパッドと、
前記第１及び第２の無線信号を受信するための受信機を有するモニタであって、前記第１及び第２の無線信号の１つに応答して患者の動きに関する通知を生成するモニタと、を備え、
前記モニタは、ユーザがモニタに、それが受信する無線信号の発信元であるすべてのセンサパッドへの応答を終了させるための入力を含む、患者の動き通知システム。
【請求項１５】
請求項１４に記載の患者の動き通知システムであって、失禁による水分を検知するための失禁センサを含む第３のセンサパッドと、前記失禁センサに応答して第３の無線信号を送信するために、前記第３のセンサパッドに関連付けられた送信機とをさらに備え、
前記受信機は前記第３の無線信号を受信し、前記モニタは前記第３の無線信号に応答して失禁に関する通知を生成する、患者の動き通知システム。
【請求項１６】
前記モニタは、複数の入力と、前記複数の入力に接続されるコントローラとを備え、前記コントローラは、患者の介護者による前記複数の入力のうちの少なくとも１つの同時起動応じて、出荷時の初期設定状態にリセットするよう構成されている、請求項１４から１５のいずれか一項に記載の患者の動き通知システム。
【請求項１７】
前記モニタはモジュールＩＤコードを有し、前記センサパッドは、前記送信回路が前記圧力信号で前記モジュールＩＤコードを送信するように前記モニタと組み合わされ、前記コントローラは、前記モニタの前記モジュールＩＤコードを含む圧力信号にのみ応答する、請求項１６に記載の患者の動き通知システム。
【請求項１８】
前記コントローラは、前記モニタの前記モジュールＩＤコードを変更することで、前記出荷時の初期設定状態にリセットするよう構成されている、請求項１７に記載の患者の動き通知システム。
【請求項１９】
前記モニタ受信機は、モニタトランシーバの一部であり、前記システムは、前記モニタトランシーバとの双方向通信を提供するためのナースコールトランシーバを有するナースコール中継装置をさらに備え、前記モニタトランシーバは、前記ナースコールトランシーバに通知信号を送信し、前記ナースコールトランシーバは、前記モニタトランシーバに定期的なステータス信号を送信し、前記入力の起動によって、前記モニタに前記ナースコール中継装置への応答を終了させない、請求項１４から１８のいずれか一項に記載の患者の動き通知システム。
【請求項２０】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、複数の入力と、前記複数の入力に接続されるコントローラとを備え、前記コントローラは、患者の介護者による前記複数の入力のうちの少なくとも１つの同時起動に応じて、出荷時の初期設定状態にリセットするよう構成されている、患者の動き通知システム。
【請求項２１】
前記モニタはモジュールＩＤコードを有し、前記センサパッドは、前記送信回路が前記圧力信号で前記モジュールＩＤコードを送信するように前記モニタと組み合わされ、前記コントローラは、前記モニタの前記モジュールＩＤコード含む圧力信号にのみ応答する、請求項２０に記載の患者の動き通知システム。
【請求項２２】
前記コントローラは、前記モニタの前記モジュールＩＤコードを変更することで、前記出荷時の初期設定状態にリセットするよう構成されている、請求項２１に記載の患者の動き通知システム。
【請求項２３】
請求項２０から２２のいずれか一項に記載の患者の動き通知システムであって、患者によって加えられた圧力を検知するための圧力センサと、圧力信号を送信するための送信回路とを含む第２のセンサパッドをさらに備え、前記受信機は、前記圧力信号を前記第２のセンサパッドから受信する、患者の動き通知システム。
【請求項２４】
請求項２３に記載の患者の動き通知システムであって、失禁による水分を検知するための失禁センサを含む第３のセンサパッドと、前記失禁センサに応答して第３の無線信号を送信するために、前記第３のセンサパッドに関連付けられた送信機とをさらに備え、
前記受信機は前記第３の無線信号を受信し、前記モニタは前記第３の無線信号に応答して失禁に関する通知を生成する、患者の動き通知システム。
【請求項２５】
前記モニタは、信号を送信するための送信機を含み、前記システムは、前記モニタの前記送信機から前記信号を受信するためのナースコール受信機を有するナースコール中継装置をさらに備え、前記ナースコール中継装置は、前記モニタに対応するモジュールＩＤコードを有する前記信号にのみ応答するよう、前記モニタと組み合わされ、前記モニタが前記ナースコール中継装置ともはや組み合わされないように、前記コントローラは、前記モニタの前記モジュールＩＤコードを変更することで、前記出荷時の初期設定状態にリセットする、請求項２０から２４のいずれか一項に記載の患者の動き通知システム。
【請求項２６】
前記モニタは、スピーカをさらに備え、前記コントローラは、前記複数の入力のうちの少なくとも１つから受信した入力に応答し、前記スピーカを制御して、前記複数の入力の起動に関する事前に記録された音声確認又は確認音を再生する、請求項２０から２５のいずれか一項に記載の患者の動き通知システム。
【請求項２７】
前記コントローラは、前記確認音を消去することなく、前記出荷時の初期設定状態にリセットする際、前記事前に記録された音声確認を消去する、請求項２６に記載の患者の動き通知システム。
【請求項２８】
患者の活動通知システム用センサデバイスであって、
患者の活動を検知するセンサと、
２つの電気接点が互いに向かってバイアスされるスロットを含むハウジングと、
前記スロットに取り外し可能に配置されて、前記２つの電気接点間に延びる電線に接続するキルタブであって、前記電線は前記２つの接点間に電流を流すことを可能にし、前記キルタブが前記スロットから取り外されると、電流が前記２つの電気接点を流れることができないように、前記電線は前記２つの電気接点の少なくとも１つから引き出される、キルタブと、
前記センサによって検知された患者の活動に応じて患者の活動信号を生成するかどうかを決定するために、前記センサに接続されるコントローラと、を備え、
前記２つの電気接点の少なくとも１つは、前記コントローラに接続され、前記コントローラは、前記２つの電気接点に電流が流れているかどうかを検知し、及び
前記コントローラは、電流が前記２つの電気接点を流れていないことを検知すると、前記コントローラは、シャットダウンルーチンを実行し、その後、前記センサデバイスの機能を終了するために、追加のステップ又は命令を実行しなくなる、患者の活動通知システム用センサデバイス。
【請求項２９】
患者の活動を検知するための前記センサは、失禁による水分を検知するための失禁センサである、請求項２８に記載の患者の活動通知システム用センサデバイス。
【請求項３０】
患者の活動を検知するための前記センサは、患者によって加えられた圧力を検知するための圧力センサである、請求項２９に記載の患者の活動通知システム用センサデバイス。
【請求項３１】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、保持入力であって、患者の介護者が、前記患者を前記センサパッドから一時的に外せるようにするために、前記患者の介護者によって前記保持入力が起動された後、第１の所定時間の間、前記センサパッドからの前記圧力信号に応答して患者の動きに関する通知が生成されることを、前記患者の介護者が阻止できるようにするための保持入力を含む、患者の動き通知システム。
【請求項３２】
請求項３１に記載の患者の動き通知システムであって、失禁による水分を検知するための失禁センサと、
前記失禁センサに応答して水分検出信号を送信するために、前記失禁センサに関連付けられた送信機と、をさらに備え、
前記受信機は、前記水分検出信号をさらに受信し、前記モニタは、前記水分検出信号の受信に応じて失禁に関する通知を生成し、
前記保持入力が所定の持続時間の間起動されると、前記モニタは、前記保持入力が前記患者の介護者によって起動された後、第２の所定時間の間、失禁に関する通知の生成を阻止することによって応答し、前記第２の所定時間は、失禁イベントに対処するため前記患者の介護者が時間を延長できるよう、前記第１の所定時間よりも長い、患者の動き通知システム。
【請求項３３】
前記第１の所定時間が経過した後、前記患者がもはや前記センサパッドに圧力をかけていないことを前記圧力信号が示す場合、前記モニタは、患者の動きに関する通知を生成することによって、前記センサパッドからの前記圧力信号に応答する、請求項３２に記載の患者の動き通知システム。
【請求項３４】
前記第１の所定時間が経過した後、前記患者がもはや前記センサパッドに圧力をかけていないことを前記圧力信号が示す場合、前記モニタは、患者の動きに関する通知を生成することによって、前記センサパッドからの前記圧力信号に応答する、請求項３２に記載の患者の動き通知システム。
【請求項３５】
前記モニタは、患者の動きに関する通知に応答して警報音を生成するためのスピーカを含む、請求項３２に記載の患者の動き通知システム。
【請求項３６】
前記スピーカは、前記第１の所定時間が経過する前に、前記第１の所定時間が経過しようとしていることを示す音声メッセージ又は音を生成する、請求項３２に記載の患者の動き通知システム。
【請求項３７】
失禁警告システムであって、
失禁による水分を検知するための水分センサを含むセンサパッドと、
前記失禁センサに応答して水分検出信号を送信するために、前記センサパッドに関連付けられた送信機と、
前記水分検出信号を受信するための受信機を有するモニタであって、前記水分検出信号の受信に応じて失禁に関する通知を生成するモニタと、を備え、
前記モニタは、保持入力であって、失禁イベントに対処するため患者の介護者が時間を延長できるようにするために、前記患者の介護者によって前記保持入力が起動された後、第１の所定時間の間、前記センサパッドからの前記水分検出信号に応答して失禁に関する通知が生成されることを、前記患者の介護者が阻止できるようにするための保持入力を含む、失禁警告システム。
【請求項３８】
前記スピーカは、前記第１の所定時間が経過する前に、前記第１の所定時間が経過しようとしていることを示す音声メッセージ又は音を生成する、請求項３７に記載の失禁警告システム。
【請求項３９】
患者の動き通知システムであって、
患者によって加えられた圧力を検知するための圧力センサと、圧力信号を送信するための送信回路とを含むセンサパッドと、
前記センサパッドから前記圧力信号を受信するための受信機を有するモニタであって、前記患者がもはや前記センサパッドに圧力をかけていないことを前記圧力信号が示す場合、前記圧力信号に応答して患者の動きに関する通知を生成するモニタと、を備え、
前記モニタは、少なくとも１つのユーザ入力、スピーカ、及び前記受信機、前記ユーザ入力、前記スピーカに接続されたコントローラをさらに含み、前記コントローラは、前記ユーザ入力から受信した入力に応答し、前記スピーカを制御して、前記ユーザ入力の起動に関する確認音又は事前に記録された音声確認を再生する、患者の動き通知システム。
【請求項４０】
前記モニタは、保持入力であって、患者の介護者が、前記患者を前記センサパッドから一時的に外せるようにするために、前記患者の介護者によって前記保持入力が起動された後、第１の所定時間の間、前記センサパッドからの前記圧力信号に応答して患者の動きに関する通知が生成されることを、前記患者の介護者が阻止できるようにするための保持入力を含む、請求項３９に記載の患者の動き通知システム。
【請求項４１】
請求項３９から４０のいずれか一項に記載の患者の動き通知システムであって、
失禁による水分を検知するための失禁センサと、
前記失禁センサに応答して水分検出信号を送信するために、前記失禁センサに関連付けられた送信機と、をさらに備え、
前記受信機は、前記水分検出信号をさらに受信し、前記モニタは、前記水分検出信号の受信に応じて失禁に関する通知を生成し、
前記モニタは、保持入力であって、失禁イベントに対処するため患者の介護者が時間を延長できるようにするために、前記患者の介護者によって前記保持入力が起動された後、第１の所定時間の間、前記センサパッドからの前記水分検出信号に応答して失禁に関する通知が生成されることを、前記患者の介護者が阻止できるようにするための保持入力を含む、患者の動き通知システム。
【請求項４２】
失禁検知システムであって、
失禁センサパッドであって、その表面の末端部まで延びる第１及び第２の導電性トレースを前記表面に有する失禁センサパッドと、
前記失禁センサパッドの前記表面の前記末端部に取り外し可能に取り付けられた失禁電子モジュールであって、
前記第１及び第２の導電性トレースへの電気接続を形成するための電気接点と、
前記第１及び第２の導電性トレースにわたって水分を検知するため、及び水分が検知されると失禁警報信号を生成するために前記電気接点に接続される回路とを含む失禁電子モジュールとを備える、失禁検知システム。
【請求項４３】
前記失禁電子モジュールは、前記失禁センサパッドの前記表面の前記末端部上に留めるためのクリップを含む、請求項４２に記載の失禁検知システム。
【請求項４４】
前記クリップは、非クリップ留め位置で開き、クリップ留め位置で閉じる枢着部を含み、前記失禁電子モジュールは、前記失禁センサパッドの前記表面の前記末端部から外れるのを防止するため、前記枢着部をクリップ留め位置に係止するための係止部をさらに含む、請求項４３に記載の失禁検知システム。
【請求項４５】
前記クリップの一部は、ユーザが前記電気接点と前記第１及び第２の導電性トレースとの配向を確認できるように、実質的に透明である、請求項４３に記載の失禁検知システム。
【請求項４６】
前記失禁電子モジュールの前記回路は、前記失禁警報信号を無線で送信するための送信機を含む、請求項４２から４５のいずれか一項に記載の失禁検知システム。
【請求項４７】
前記失禁電子モジュールの前記回路は、送信される前記失禁警報信号が通過するワイヤを含む、請求項４２から４６のいずれか一項に記載の失禁検知システム。
【請求項４８】
前記第１の導電性トレースは、第１の複数の交互嵌合導電性延長部に接続された第１の導電性バスを含み、前記第２の導電性トレースは、第２の複数の交互嵌合導電性延長部に接続された第２の導電性バスを含む、請求項４２から４７のいずれか一項に記載の失禁検知システム。
【請求項４９】
前記第１及び第２の導電性バスは、前記表面の前記末端部から所定の間隔を置いて平行に延びる、請求項４８に記載の失禁検知システム。
【請求項５０】
前記第１及び第２の導電性バスは、前記表面の第２の末端部から第２の間隔を置いて平行に延び、前記失禁電子モジュールに任意の第２の接続箇所を形成する、請求項４９に記載の失禁検知システム。
【請求項５１】
前記失禁センサパッドは、前記失禁センサパッドの前記表面の少なくとも一部にわたって設けられた吸収材を含む、請求項４２から５０のいずれか一項に記載の失禁検知システム。
【請求項５２】
前記吸収材は、看護人が、色が変化した前記吸収材のサイズに基づいて、吸収された水分の相対量を決定できるように、吸収された水分に応じて色を変える色変化材料を含む、請求項５１に記載の失禁検知システム。
【請求項５３】
前記失禁センサパッドは、看護人が、水分吸収により膨張した前記吸収材の領域のサイズに基づいて、吸収された水分の相対量を決定できるように、グリッドマーキングを含む、請求項５１に記載の失禁検知システム。
【請求項５４】
前記失禁電子モジュールは、状態ボタンと、前記状態ボタンが押されると、前記第１及び第２の導電性トレースへの接続状態を示す状態インジケータとを含む、請求項４２から５３のいずれか一項に記載の失禁検知システム。
【請求項５５】
前記状態インジケータは、失禁イベントがある際の状態をさらに示す、請求項５４に記載の失禁検知システム。
【請求項５６】
前記失禁電子モジュールは、前記失禁センサパッドの温度を検知するための温度センサを備え、前記回路は、前記温度センサによって検知された温度が閾値温度に達すると、床ずれ事前警告信号を生成する、請求項４２から５５のいずれか一項に記載の失禁検知システム。
【請求項５７】
前記失禁電子モジュールは、
２つの追加の電気接点が互いに向かってバイアスされるスロットを含むハウジングと、
前記スロットに取り外し可能に配置されて、前記２つの追加の電気接点間に延びる電線に接続するキルタブであって、前記電線は前記２つの追加の接点間に電流を流すことを可能にし、前記キルタブが前記スロットから取り外されると、電流が前記２つの追加の電気接点を流れることができないように、前記電線は前記２つの追加の電気接点の少なくとも１つから引き出される、キルタブとをさらに備え、及び
前記２つの追加の電気接点の少なくとも１つは、前記回路に接続され、前記回路は、前記２つの追加の電気接点に電流が流れているかどうかを検知するコントローラを含み、
前記コントローラは、電流が前記２つの追加の電気接点を流れていないことを検知すると、前記コントローラは、シャットダウンルーチンを実行し、その後、前記失禁電子モジュールの機能を終了するために、追加のステップ又は命令を実行しなくなる、請求項４２から５６のいずれか一項に記載の失禁検知システム。
【請求項５８】
前記失禁電子モジュールは、前記失禁検知パッドの表面と係合するために底面に取り付け部材を含む、請求項４２から５７のいずれか一項に記載の失禁検知システム。
【請求項５９】
失禁検知パッドであって、
表面を有する基材と、
前記基材の前記表面上の第１の導電性トレースであって、前記第１の導電性トレースは、第１の複数の交互嵌合導電性延長部に接続された第１の導電性バスを含み、前記第１の導電性バスは、前記表面の末端部まで延びる、第１の導電性トレースと、
前記基材の前記表面上の第２の導電性トレースであって、前記第２の導電性トレースは、第２の複数の交互嵌合導電性延長部に接続された第２の導電性バスを含み、前記第２の導電性バスは、前記表面の前記末端部まで延びる、第２の導電性トレースと、を備える、失禁検知パッド。
【請求項６０】
前記第１及び第２の導電性バスは、前記表面の前記末端部から所定の間隔を置いて平行に延びる、請求項５９に記載の失禁検知パッド。
【請求項６１】
前記第１及び第２の導電性バスは、前記表面の第２の末端部から第２の所定の間隔を置いて平行に延び、失禁電子モジュールに任意の第２の接続箇所を形成する、請求項６０に記載の失禁検知パッド。
【請求項６２】
前記失禁センサパッドは、略矩形であり、前記表面の前記第２の末端部は、前記失禁センサパッドの反対側に近接している、請求項６１に記載の失禁検知パッド。
【請求項６３】
前記略矩形の失禁センサパッドは、第１、第２、第３、及び第４の側面を有し、前記第１及び第３の側面は、前記２及び第４の側面よりも短い、請求項６２に記載の失禁検知パッド。
【請求項６４】
前記表面の前記末端部は、前記第１の側面に近接し、前記第２の末端部は、前記第３の側面に近接している、請求項６３に記載の失禁検知パッド。
【請求項６５】
前記表面の前記末端部は、前記第２の側面に近接し、前記第２の末端部は、前記第４の側面に近接している、請求項６３に記載の失禁検知パッド。
【請求項６６】
前記表面の前記末端部まで延びる前記第１の導電性バスの第１の部分は、前記表面の前記第２の末端部まで延びる前記第１の導電性バスの第２の部分と同一直線上にあり、前記表面の前記末端部まで延びる前記第２の導電性バスの第１の部分は、前記表面の前記第２の末端部まで延びる前記第２の導電性バスの第２の部分と同一直線上にある、請求項６２に記載の失禁検知パッド。
【請求項６７】
前記基板は、前記基板の側端から外側に延びる少なくとも１つのタブを含み、前記表面の前記末端部は、前記少なくとも１つのタブ上に配置されている、請求項５９から６６のいずれか一項に記載の失禁検知パッド。
【請求項６８】
前記第１及び第２の導電性バスは、前記基板の両端にそれぞれ達している、請求項５９から６７のいずれか一項に記載の失禁検知パッド。
【請求項６９】
前記失禁センサパッドは、前記基材の前記表面の少なくとも一部にわたって配置された吸収材を含む、請求項５９から６８のいずれか一項に記載の失禁検知パッド。
【請求項７０】
前記吸収材は、前記基材の前記両端まで延びておらず、前記第１及び第２の導電性バスは、前記吸収材の両端にそれぞれ達しているが、前記基材の前記両端まで達していない、請求項６９に記載の失禁検知パッド。
【請求項７１】
前記吸収材は、看護人が、色が変化した前記吸収材のサイズに基づいて、吸収された水分の相対量を決定できるように、吸収された水分に応じて色を変える色変化材料を含む、請求項６９に記載の失禁検知パッド。
【請求項７２】
前記失禁センサパッドは、看護人が、水分吸収により膨張した前記吸収材の領域のサイズに基づいて、吸収された水分の相対量を決定できるように、グリッドマーキングを含む、請求項６９に記載の失禁検知パッド。
【請求項７３】
失禁チャックであって、
表面を有する基材と、
前記基材の前記表面の少なくとも一部にわたって配置された吸収材と、を備え、
前記吸収材は、看護人が、色が変化した前記吸収材のサイズに基づいて、吸収された水分の相対量を決定できるように、吸収された水分に応じて色を変える色変化材料を含む、失禁チャック。
【請求項７４】
請求項７３に記載の失禁チャックであって、
前記基材の前記表面上の第１の導電性トレースであって、前記第１の導電性トレースは、第１の複数の交互嵌合導電性延長部に接続された第１の導電性バスを含み、前記第１の導電性バスは、前記表面の末端部まで延びる、第１の導電性トレースと、
前記基材の前記表面上の第２の導電性トレースであって、前記第２の導電性トレースは、第２の複数の交互嵌合導電性延長部に接続された第２の導電性バスを含み、前記第２の導電性バスは、前記表面の前記末端部まで延びる、第２の導電性トレースと、を備える、失禁チャック。
【請求項７５】
前記色変化材料は、患者の皮膚のｐＨレベルに応じて色も変化する、請求項７３から７４のいずれか一項に記載の失禁チャック。
【請求項７６】
失禁検知システムであって、
失禁センサパッドであって、その表面の末端部まで延びる第１及び第２の導電性トレースを前記表面に有する失禁センサパッドと、
前記失禁センサパッド上に横たわる患者の体温を検知するための温度センサと、
前記失禁センサパッドの前記表面の前記末端部に取り外し可能に取り付けられた失禁電子モジュールであって、
前記第１及び第２の導電性トレースへの電気接続を形成するための電気接点と、
前記第１及び第２の導電性トレースにわたって水分を検知するため、及び水分が検知されると失禁警報信号を生成するために前記電気接点に接続される回路であって、
前記回路は、前記検知回路によって検知された体温が閾値体温に達すると、床ずれ事前警告信号を生成する、回路と、を含む失禁電子モジュールとを備える、失禁検知システム。
【請求項７７】
患者の動き通知システムであって、
患者をトイレに固定するための便座ベルトであって、
前記患者を固定するために前記便座ベルトの２つの部分を接続する取り外し可能クリップと、
前記取り外し可能クリップが前記便座ベルトの前記２つの部分を接続しているかどうかを検知するためのクリップセンサと、を含む、便座ベルトと、
前記クリップセンサは、前記取り外し可能クリップが前記便座ベルトの前記２つの部分を接続していることを、前記取り外し可能クリップがもはや検知しないことを検出すると、警報信号を生成するための信号発生器とを備える、患者の動き通知システム。
【請求項７８】
請求項７７に記載の患者の動き通知システムであって、患者によって前記トイレの便座に加えた圧力を検知するための圧力センサを含むトイレセンサパッドをさらに備え、前記信号発生器は、前記圧力センサが前記便座の圧力を検知し、且つ、前記センサは、前記クリップセンサが前記取り外し可能なクリップが前記便座ベルトの前記２つの部分をもはや接続していないことを検出すること検出するときのみ、前記信号発生器は、前記警報信号を発生する、患者の動き通知システム。
【請求項７９】
前記信号発生器は、前記警報信号を無線で送信するための送信回路であり、前記患者の動き通知システムは、前記送信回路から前記警報信号を受信するためのモニタ受信機を有するモニタをさらに備え、前記モニタは、前記警報信号に応答して患者の動きに関する通知を生成する、請求項７７から７８のいずれか一項に記載の患者の動き通知システム。